(57)【要約】【課題】機械類通信機器能力の報知、取得方法及び装置を提供する。【解決手段】該機械類通信機器能力の報知方法は、ＭＴＣ機器がネットワーク側と同一の、ＭＴＣ機器の能力パラメータ組合せとインデックスとの間の対応関係である規則に従って、ＭＴＣ機器の能力パラメータからなる組合せをインデックスにマッピングするステップと、ＭＴＣ機器がインデックスをネットワーク側に報知するステップを含む。本発明によると、エアインターフェースリソースのオーバーヘッドを節約できる。【選択図】図３
2013527726.tif 000002
【特許請求の範囲】
【請求項１】
ＭＴＣ機器がネットワーク側と同一の、前記ＭＴＣ機器の能力パラメータ組合せとインデックスとの間の対応関係である規則に従って、前記ＭＴＣ機器の能力パラメータからなる組合せを前記インデックスにマッピングするステップと、
前記ＭＴＣ機器が前記インデックスを前記ネットワーク側に報知するステップを含むＭＴＣ機器能力の報知方法。
【請求項２】
ＭＴＣ機器がネットワーク側と同一の規則に従って、前記ＭＴＣ機器の能力パラメータからなる組合せをインデックスにマッピングするステップが、
前記ＭＴＣ機器が前記対応関係を保存している対応関係テーブルから前記能力パラメータからなる組合せに対応するインデックスを調べるステップを含む請求項１に記載の方法。
【請求項３】
ＭＴＣ機器がネットワーク側と同一の規則に従って、前記ＭＴＣ機器の能力パラメータからなる組合せをインデックスにマッピングするステップが、
前記ＭＴＣ機器が前記規則に従って、前記ＭＴＣ機器のアップリンク能力パラメータからなる組合せを第１のインデックスにマッピングし、及び/又は、
前記ＭＴＣ機器が前記規則に従って、前記ＭＴＣ機器のダウンリンク能力パラメータからなる組合せを第２のインデックスにマッピングするステップを含む請求項１に記載の方法。
【請求項４】
前記ＭＴＣ機器が前記インデックスをネットワーク側に報知するステップが、
前記ＭＴＣ機器が前記ネットワーク側に前記インデックスを載せたＲＲＣメッセージを送信するステップを含む請求項１に記載の方法。
【請求項５】
前記ＲＲＣメッセージが、ＲＲＣ接続確立要求メッセージと、ＲＲＣ接続確立完成メッセージと、ＭＴＣ機器能力クエリ応答メッセージと、ハンドオーバーメッセージの中の少なくとも一つを含む請求項４に記載の方法。
【請求項６】
ＭＴＣ機器がネットワーク側と同一の規則に従って前記ＭＴＣ機器の能力パラメータからなる組合せをインデックスにマッピングする前、
前記ＭＴＣ機器が前記ネットワーク側と協議して前記規則を確定し、又は、前記ＭＴＣ機器と前記ネットワーク側に前記規則を設定するステップを更に含む請求項１に記載の方法。
【請求項７】
ネットワーク側は、ＭＴＣ機器が報知したインデックスを受信し、
前記ネットワーク側は、前記ＭＴＣ機器と同一の、前記ＭＴＣ機器の能力パラメータ組合せとインデックスとの間の対応関係である規則に従って、前記インデックスにマッピングされた能力パラメータを確定するステップを含むＭＴＣ機器能力の取得方法。
【請求項８】
前記ネットワーク側が前記ＭＴＣ機器と同一の規則に従って、前記インデックスにマッピングされた能力パラメータを確定するステップが、
前記ネットワーク側が前記対応関係を保存している対応関係テーブルから前記インデックスにマッピングされた能力パラメータを調べるステップを含む請求項７に記載の方法。
【請求項９】
ネットワーク側がＭＴＣ機器からのインデックスを受信するステップが、
前記ネットワーク側が前記ＭＴＣ機器からのＲＲＣメッセージを受信し、
前記ネットワーク側が前記ＲＲＣメッセージから前記インデックスを解析するステップを含む請求項７に記載の方法。
【請求項１０】
前記ネットワーク側が前記ＭＴＣ機器と同一の規則に従って、前記インデックスにマッピングされた能力パラメータを確定する前、さらに、
前記ネットワーク側が前記ＭＴＣ機器と協議して前記規則を確定し、又は、前記ＭＴＣ機器と前記ネットワーク側に前記規則を設定するステップを含む請求項７に記載の方法。
【請求項１１】
ネットワーク側と同一の、ＭＴＣ機器の能力パラメータ組合せとインデックスとの間の対応関係である規則に従って、前記ＭＴＣ機器の能力パラメータからなる組合せをインデックスにマッピングするマッピングブロックと、
前記インデックスをネットワーク側に報知する報知ブロックと、を備えるＭＴＣ機器。
【請求項１２】
ＭＴＣ機器からのインデックスを受信する受信ブロックと、
前記ＭＴＣ機器と同一の、前記ＭＴＣ機器の能力パラメータ組合せと前記インデックスとの間の対応関係である規則に従って、前記インデックスにマッピングされた能力パラメータを確定する確定ブロックと、を備えるネットワーク側機器。
【発明の詳細な説明】
【技術分野】
【０００１】
本発明は、通信分野に関し、具体的に、機械類通信（Machine  Type  Communication、以下ＭＴＣと略称）機器能力の報知、取得方法、ＭＴＣ機器及びネットワーク側機器に関する。
【背景技術】
【０００２】
機械間通信(Machine  to  Machine、以下Ｍ２Ｍと略称)は、機械端末による知能的な交換を中心としてネットワーク化されたアプリケーション及びサービスであり、センサネットワークと無線通信技術を結合し、さまざまな通信方式をアクセス手段としてユーザに情報化された解決案を提供している。
【０００３】
Ｍ２Ｍによって、ユーザは、外部環境をリアルタイムにモニターし、広範囲で自動化の情報収集を実現することができる。従って、Ｍ２Ｍは業界内アプリケーション、ホームアプリケーション、個人アプリケーション等に応用でき、その中、業界内アプリケーションは、例えば交通モニタ、警報システム、海上援助、自動販売機、運転費用等があって、ホームアプリケーションは、例えば自動検針、温度制御等があって、個人アプリケーションは、例えば生命検知、リモート診断などがある。
【０００４】
Ｍ２Ｍの通信対象は、機械対機械又は人対機械である。一つ又は複数の機械間のデータ通信が機械類通信と定義され、この場合、人と機械との間で交換を行う必要があまりない。ＭＴＣに参与する機械がＭＴＣ機器と定義される。ＭＴＣ機器は、ＭＴＣユーザの端末で、公衆陸上移動体ネットワーク（Public  Land  Mobile  Network、以下ＰＬＭＮと略称）を介してＭＴＣ機器及び/又はＭＴＣサーバと通信を行う。移動機器(Mobile  Equipment、以下ＭＥと略称)はＭＴＣ機器に属する機能ブロックで、該機能ブロックは、ＭＴＣ機器を移動通信システムにアクセスように設定される。ＭＴＣサーバ(MTC  Server)はＭＴＣ機器に管理及びモニタを行う。図１と図２は、それぞれ関連技術におけるＭＥのＵＭＴＳ陸上無線アクセスネットワーク（UMTS  Terrestrial  Radio  Access  Network、以下ＵＴＲＡＮと略称）と進化したＵＴＲＡＮ（Evolved  UTRAN、以下Ｅ−ＵＴＲＡＮと略称）を介したコアネットワーク（Core  Network、以下ＣＮと略称）へのアクセスを示す図である。
【０００５】
関連技術において、ネットワーク側がＭＴＣ機器の能力を把握してリソースの割り当て及び関連の配置を行うように、ＭＴＣ機器がネットワーク側に自分の能力、例えば、能力パラメータ値及びある能力を支援するか否かの指示等を逐一報知しなければならなく、これによって大量のエアインターフェースリソースを浪費してしまう。
【発明の概要】
【発明が解決しようとする課題】
【０００６】
本発明は、上記問題を解決できるＭＴＣ機器能力の報知、取得方法、並びにＭＴＣ機器及びネットワーク側機器を提供することをその目的とする。
【課題を解決するための手段】
【０００７】
本発明の一方面によると、ＭＴＣ機器がネットワーク側と同一の、ＭＴＣ機器の能力パラメータ組合せとインデックスとの間の対応関係である規則に従って、ＭＴＣ機器の能力パラメータからなる組合せをインデックスにマッピングするステップと、ＭＴＣ機器がインデックスをネットワーク側に報知するステップを含むＭＴＣ機器能力の報知方法を提供する。
【０００８】
ＭＴＣ機器がネットワーク側と同一の規則に従って、ＭＴＣ機器の能力パラメータからなる組合せをインデックスにマッピングするステップが、ＭＴＣ機器が対応関係を保存している対応関係テーブルから能力パラメータからなる組合せに対応するインデックスを調べるステップを含む。
【０００９】
ＭＴＣ機器がネットワーク側と同一の規則に従って、ＭＴＣ機器の能力パラメータからなる組合せをインデックスにマッピングするステップが、ＭＴＣ機器が規則に従って、ＭＴＣ機器のアップリンク能力パラメータからなる組合せを第１のインデックスにマッピングし、及び/又は、ＭＴＣ機器が規則に従って、ＭＴＣ機器のダウンリンク能力パラメータからなる組合せを第２のインデックスにマッピングするステップを含む。
【００１０】
ＭＴＣ機器がインデックスをネットワーク側に報知するステップが、ＭＴＣ機器がネットワーク側にインデックスを携帯したＲＲＣメッセージを送信するステップを含む。
【００１１】
ＲＲＣメッセージは、ＲＲＣ接続確立要求メッセージと、ＲＲＣ接続確立完成メッセージと、ＭＴＣ機器能力クエリ応答メッセージと、ハンドオーバーメッセージの中の少なくとも一つを含む。
【００１２】
ＭＴＣ機器がネットワーク側と同一の規則に従って、ＭＴＣ機器の能力パラメータからなる組合せをインデックスにマッピングする前、ＭＴＣ機器がネットワーク側と協議して規則を確定し、又は、ＭＴＣ機器とネットワーク側に規則を設定するステップを更に含む。
【００１３】
本発明の他の一方面によると、ネットワーク側がＭＴＣ機器が報知したインデックスを受信し、ネットワーク側がＭＴＣ機器と同一の、ＭＴＣ機器の能力パラメータ組合せとインデックスとの間の対応関係である規則に従って、インデックスにマッピングされた能力パラメータを確定するステップを含むＭＴＣ機器能力の取得方法を提供する。
【００１４】
ネットワーク側がＭＴＣ機器と同一の規則に従って、インデックスにマッピングされた能力パラメータを確定するステップが、ネットワーク側が対応関係を保存している対応関係テーブルからインデックスにマッピングされた能力パラメータを調べるステップを含む。
【００１５】
ネットワーク側がＭＴＣ機器からのインデックスを受信するステップが、ネットワーク側がＭＴＣ機器からのＲＲＣメッセージを受信し、ネットワーク側がＲＲＣメッセージからインデックスを解析するステップを含む。
【００１６】
ネットワーク側がＭＴＣ機器と同一の規則に従って、インデックスにマッピングされた能力パラメータを確定する前、ネットワーク側がＭＴＣ機器と協議して規則を確定し、又は、ＭＴＣ機器とネットワーク側に規則を設定するステップを含む。
【００１７】
本発明の他の一方面によると、ネットワーク側と同一の、ＭＴＣ機器の能力パラメータ組合せとインデックスとの間の対応関係である規則に従って、ＭＴＣ機器の能力パラメータからなる組合せをインデックスにマッピングするマッピングブロックと、インデックスをネットワーク側に報知する報知ブロックと、を備えるＭＴＣ機器を提供する。
【００１８】
本発明の他の一方面によると、ＭＴＣ機器からのインデックスを受信する受信ブロックと、ＭＴＣ機器と同一の、ＭＴＣ機器の能力パラメータ組合せとインデックスとの間の対応関係である規則に従って、インデックスにマッピングされた能力パラメータを確定する確定ブロックと、を備えるネットワーク側機器を提供する。
【発明の効果】
【００１９】
本発明によると、ＭＴＣ機器がネットワーク側と同一の規則に従って、能力パラメータからなる組合せをインデックスにマッピングし、該インデックスをネットワーク側に送信することによって、関連技術における能力報知方法がエアインターフェースリソースを浪費する問題を解決し、エアインターフェースリソースのオーバーヘッドを節約できる。
【図面の簡単な説明】
【００２０】
ここで説明する図面は本発明を理解させるためのもので、本発明の一部を構成し、本発明における実施例と共に本発明を解釈し、本発明を不当に限定するのではない。
【図１】図１は、関連技術におけるＭＥのＵＴＲＡＮを介したコアネットワークへのアクセスを示す図である。
【図２】図２は、関連技術におけるＭＥのＥ−ＵＴＲＡＮを介したコアネットワークへのアクセスを示す図である。
【図３】図３は、本発明の実施例に係わるＭＴＣ機器能力の報知方法を示すフローチャートである。
【図４】図４は、本発明の実施例に係わるＭＴＣ機器能力の取得方法を示すフローチャートである。
【図５】図５は、本発明の実施例に係わるＭＴＣ機器の構成を示すブロック図である。
【図６】図６は、本発明の実施例に係わるネットワーク側機器の構成を示すブロック図である。
【図７】図７は、本発明の実施例に係わるＭＴＣ機器能力の報知及び取得方法を示すフローチャートである。
【発明を実施するための形態】
【００２１】
以下、図面を参照しつつ実施例を結合して本発明を詳しく説明する。ここで、互いに衝突しない限り、本願に記載の実施例及び実施例に記載の特徴を互いに組み合わせることができる。
【００２２】
ＭＴＣ機器はＭＴＣユーザの端末で、ＰＬＭＮネットワーク等を介して他のＭＴＣ機器、ＭＴＣサーバと通信を行うことができる。ネットワーク側がＭＴＣ機器の能力を把握してリソースの割り当て及び関連する配置を行うように、ＭＴＣ機器はネットワーク側に自分の能力を逐一報知しなければならないため、大量のエアインターフェースリソースを浪費してしまう。従って、本発明の実施例によると、ＭＴＣ機器能力の報知、取得方法、ＭＴＣ機器及びネットワーク側機器を提供し、上記問題を解決できる。以下、詳しく説明する。
【００２３】
図３は、本発明の実施例に係わるＭＴＣ機器能力の報知方法を示すフローチャートで、該方法は次のステップを含む。
ＭＴＣ機器は、ネットワーク側と同一の規則に従って、ＭＴＣ機器の能力パラメータからなる組合せをインデックスにマッピングし（ステップＳ３０２）、その中、上記規則は、ＭＴＣ機器の能力パラメータの組合せとインデックスとの間の対応関係である。
【００２４】
ＭＴＣ機器は、該インデックスをネットワーク側に報知する（ステップＳ３０４）。
【００２５】
関連技術において、ＭＴＣ機器はネットワーク側に自分の能力（例えば、能力パラメータの値及びある能力を支援するか否かの指示等）を逐一報知しなければならなく、また、ＭＴＣ機器の場合、そのサービス特性と機能が比較的に固定されているので、その能力も比較的に固定されていて、ＭＴＣ機器がアクセスする際、依然として伝統の能力報知方法によって能力を載せると余分な負担が発生し、大量のエアインターフェースリソースを浪費してしまう。本発明の実施例による方法において、ＭＴＣ機器は自分の能力パラメータからなる集合をインデックスに対応させ、上記インデックスを送信し、インデックスのビット数が複数の能力パラメータの総ビット数より大幅に少ないので、能力報知が占めるエアインターフェースリソースを減少し、エアインターフェースのオーバーヘッドを低減する。
【００２６】
なお、ＭＴＣ機器とネットワーク側は同一の規則に従い、該同一の規則は実質的なコンテンツが同一のマッピング規則のことを指しているが、ＭＴＣ機器とネットワーク側機器の実際状況に対応させるため、該同一の規則の体現形式が異なることもある。例えば、ＭＴＣ機器はテーブルフォーマットで該規則を記憶し体現し、ネットワーク側はマトリックスフォーマットで該規則を記憶し体現するなどであることができる。
【００２７】
ステップＳ３０２が、ＭＴＣ機器が上記対応関係を保存している対応関係テーブルから能力パラメータからなる組合せに対応するインデックスを調べるステップを含むことが好ましい。ＭＴＣ機器とネットワーク側との間の同一の対応関係テーブルによって、ＭＴＣ機器は自分の能力パラメータからなる組合せに対応するインデックスを速やかに調べることができ、ファイルを解析する必要がなく、効率的であって、エラー発生率も低い。
【００２８】
ステップＳ３０２が、ＭＴＣ機器が上記規則に従って、ＭＴＣ機器のアップリンク能力パラメータからなる組合せを第１のインデックスにマッピングし、及び/又は、ＭＴＣ機器が上記規則に従って、ＭＴＣ機器のダウンリンク能力パラメータからなる組合せを第２のインデックスにマッピングするステップを含むことが好ましい。上記のステップによって、アップリンク能力又はダウンリンク能力のみを送信する必要がある場合、インデックスをそれぞれ調べて送信することができ、ＭＴＣ機器のインデックスの調べに必要な時間及びリソースを節約できると共に、エアインターフェースのオーバーヘッドも節約でき、一方、インデックスにより指示される能力パラメータのタイプが少なくなるので、上記規則の複雑度を低減し、さらに、インデックス値の範囲を縮小し、シングルインデックスを送信するエアインターフェースオーバーヘッドを減少することができる。
【００２９】
ステップＳ３０４が、ＭＴＣ機器がネットワーク側に該インデックスを載せる無線リソース控制（Radio  Resource  Control、以下ＲＲＣと略称）メッセージを送信するステップを含むことが好ましい。既存のメッセージで該インデックスを載せることによって、新しいメッセージ構成を定義する必要がなく、簡単に実現できる。
【００３０】
上記のＲＲＣメッセージが、ＲＲＣ接続確立要求メッセージと、ＲＲＣ接続確立完成メッセージと、ＭＴＣ機器能力クエリ応答メッセージと、ハンドオーバーメッセージの中の少なくとも一つを含むことが好ましい。上記のメッセージでインデックスを載せることによって、ネットワーク側が該インデックスに対応する能力パラメータに基づいて接続確立プロセスを企画することができる。
【００３１】
ＭＴＣ機器がネットワーク側と同一の規則に従って、ＭＴＣ機器の能力パラメータからなる組合せをインデックスにマッピングする前、ＭＴＣ機器がネットワーク側と協議して規則を確定し、又は、ＭＴＣ機器とネットワーク側に規則を設定するステップを更に含むことが好ましい。
【００３２】
なお、上記のＭＴＣ機器が依拠した規則は、予め配置された固定の規則（例えば、当該分野に統一に規定された規則）で、報知する必要がある際、毎回配置しなくてもよく、該規則に依拠すればよい。又は、ネットワーク側と対応する規則を協議し、協議後の規則に従って報知することもできる。具体的な協議フローをＭＴＣ機器が起動することができれば、ネットワーク側が開始することもできる。
【００３３】
図４は、本発明の実施例に係わるＭＴＣ機器能力の取得方法を示すフローチャートで、以下のステップを含む。
【００３４】
ネットワーク側は、ＭＴＣ機器が報知したインデックスを受信する（ステップＳ４０２）。
【００３５】
ネットワーク側は、ＭＴＣ機器と同一の規則に従って、インデックスにマッピングされた能力パラメータを確定し（ステップＳ４０４）、その中、上記規則はＭＴＣ機器の能力パラメータの組合せとインデックスとの間の対応関係である。
【００３６】
関連技術において、ネットワーク側がエアインターフェースにてＭＴＣ機器の大量の能力パラメータを取得しなければならないので、エアインターフェースリソースを浪費する一方、ネットワーク側の解析フローが長くで複雑になってしまう。本発明の実施例に提供される取得方法によると、ネットワーク側はＭＴＣ機器が報知したインデックスを受信した後、ＭＴＣ機器と同一の規則に従って、該インデックスにマッピングされた能力パラメータを確定し、エアインターフェースリソースのオーバーヘッドを減少すると共に、ネットワーク側のＭＴＣ機器の能力情報に対する解析フローを簡単化させ、ネットワーク側の処理効率を向上させる。
【００３７】
ステップＳ４０４が、ネットワーク側が上記対応関係を保存している対応関係テーブルから該インデックスにマッピングされた能力パラメータを調べるステップを含むことが好ましい。ＭＴＣ機器とネットワーク側との間の同一の対応関係テーブルによって、ネットワーク側が受信したインデックスに対応する一連の能力パラメータを速やかに調べることができ、効率的であって、且つエラー発生率も低い。
【００３８】
ステップＳ４０２が、ネットワーク側がＭＴＣ機器からのＲＲＣメッセージを受信し、ネットワーク側が該ＲＲＣメッセージから上記インデックスを解析するステップを含むことが好ましい。ネットワーク側が既存のメッセージから上記インデックスを解析することによって、他の解析フローを必要としなく、また、一つ（又は複数の）インデックス値を解析するプロセスが、一連の能力パラメータの値を解析するプロセスよりかなり容易である。総じていえば、該方法による解析が効率的であって、且つ正確率も保証できる。
【００３９】
ネットワーク側がＭＴＣ機器と同一の規則に従って、インデックスにマッピングされた能力パラメータを確定する前、ネットワーク側がＭＴＣ機器と協議して規則を確定し、又は、ＭＴＣ機器とネットワーク側に規則を設定するステップを更に含むことが好ましい。
【００４０】
なお、上記のネットワーク側が依拠した規則は、予め配置された固定の規則（例えば、当該分野に統一に規定された規則）であることができ、報知する必要がある際、毎回配置しなくてもよく、該規則に依拠すればよい。又は、ネットワーク側と対応する規則を協議し、協議後の規則に従って報知することもできる。具体的な協議フローをＭＴＣ機器が開始することができれば、ネットワーク側が開始することもできる。
【００４１】
図５は、本発明の実施例に係わるＭＴＣ機器の構成を示すブロック図である。同図に示すように、ネットワーク側と同一のＭＴＣ機器の能力パラメータ組合せとインデックスとの間の対応関係である規則に従って、ＭＴＣ機器の能力パラメータからなる組合せをインデックスにマッピングするマッピングブロック５２と、マッピングブロック５２にカップリングされ、該インデックスをネットワーク側に報知する報知ブロック５４と、を備える。
【００４２】
本発明の実施例によるＭＴＣ機器は、マッピングブロック５２によって自分の能力パラメータからなる集合をインデックスにマッピングし、報知ブロック５４によって上記のインデックスを送信することによって、能力報知が占めるエアインターフェースリソースを減少し、エアインターフェースオーバーヘッドを低減する。
【００４３】
図６は、本発明の実施例に係わるネットワーク側機器の構成を示すブロック図で、ＭＴＣ機器からのインデックスを受信する受信ブロック６２と、受信ブロック６２にカップリングされ、ＭＴＣ機器と同一の規則に従って、該インデックスにマッピングされた能力パラメータを確定する確定ブロック６４と、を備え、その中、上記規則はＭＴＣ機器の能力パラメータの組合せとインデックスとの間の対応関係である。本発明の実施例によるネットワーク側機器によると、受信ブロック６２によってＭＴＣ機器からのインデックスを受信し、確定ブロック６４によって該インデックスにマッピングされた能力パラメータを確定することによって、エアインターフェースリソースのオーバーヘッドを減少すると共に、ネットワーク側のＭＴＣ機器の能力情報に対する解析フローを簡単化させ、ネットワーク側の処理効率を向上できる。
【００４４】
本発明の実施例によると、端末（即ち、ＭＴＣ機器）能力のパケット化方式を提供し、各パケットは予め定義された端末能力を含み、各パケットは一つの指示に対応し、端末とネットワーク側に同一の能力パケット及び対応する指示が記憶されている。端末はネットワークにアクセスする際、自分の能力に応じて対応する能力パケットを抽出し、端末はネットワーク側に自分の能力パケットに対応する指示のみを報知すればよい。ネットワークは端末が報知した能力パケット指示を受信した場合、対応する能力パケットを抽出し、さらに端末の能力を取得する。以下、実施例によって具体的に説明する。
【００４５】
以下の実施例１〜３は、上記の複数の好適の実施例の技術案を統合したものである。
実施例１
表１と表２は、それぞれアップリンクとダウンリンクの能力パラメータの組合せ（以下、能力パケットとも称する）と対応する指示（上記のインデックスに相当）の対応関係を示し、該実施例は表１と表２を例に、ＭＴＣ機器能力の報知及び取得フローを説明する。
【００４６】
【表１】
2013527726.tif 000003
【表２】
2013527726.tif 000004
【００４７】
本実施例において、ＭＴＣ機器のアップリンク/ダウンリンク能力をそれぞれパケット化し、その中、表１はダウンリンク能力で、表２はアップリンク能力であって、アップリンク/ダウンリンク能力はそれぞれ各自の能力指示に対応し、ＭＴＣ機器が自分能力を報知する際、アップリンク/ダウンリンク能力指示のみを報知すればよく、例えば、ＭＴＣ機器が表１におけるダウンリンク能力３に対応するダウンリンク能力と表２におけるアップリンク能力４に対応するアップリンク能力を支援すると、ネットワーク側にアップリンク能力３とダウンリンク能力４を支援することを報知すればよく、ネットワーク側はＭＴＣ機器が報知したアップリンク能力３とダウンリンク能力４の指示を受信した後、同じく、表１と表２からそれぞれ該ＭＴＣ機器が支援するアップリンク/ダウンリンク能力を取得することができる。
【００４８】
実施例２
表３は、アップリンクとダウンリンク能力のパラメータ組合せ（以下、能力パケットとも称する）と対応する指示（上記のインデックスに相当）の対応関係を示し、該実施例は次の表３を例に、ＭＴＣ機器能力の報知及び取得フローを説明する。
【００４９】
【表３】
2013527726.tif 000005
2013527726.tif 000006
【００５０】
本実施例において、ＭＴＣ機器のアップリンク/ダウンリンク能力組合せをパケット化し、一つの能力指示によってＭＴＣ機器のアップリンク/ダウンリンク能力を指示し、ＭＴＣ機器が自分の能力を報知する際、能力指示のみを報知すればよく、例えば、ＭＴＣ機器が表３における能力４に対応するアップリンク/ダウンリンク能力を支援すると、ネットワーク側に能力４を支援することを報知すればよく、ネットワーク側はＭＴＣ機器が報知した能力４の指示を受信した後、同様に、表３から該機器が支援するアップリンク/ダウンリンク能力を取得することができる。
【００５１】
実施例３
図７は、本発明の実施例に係わるＭＴＣ機器能力の報知及び取得方法を示すフローチャートで、以下のステップを含む。
【００５２】
ＭＴＣ機器は、ＭＴＣ機器自分の能力状況に基づいて、対応する能力指示を確定する（ステップ７０１）。
【００５３】
ＭＴＣ機器は、ネットワーク側へＲＲＣ接続確立メッセージを送信してＭＴＣ機器の能力指示を載せて（ステップ７０２）、該ＲＲＣメッセージはＲＲＣ接続確立要求又はＲＲＣ接続確立完成メッセージであることができる。
【００５４】
ネットワーク側は該ＲＲＣメッセージを解析してＭＴＣ機器の能力指示を取得し、ネットワーク側は同一のテーブルに基づいてＭＴＣ機器の能力指示に対応する能力を調べて取得する（ステップ７０３）。
【００５５】
上述のように、本発明の実施例によると、能力の報知が占めるエアインターフェースリソースを減少し、エアインターフェースオーバーヘッドを低減し、ネットワーク側の能力情報の解析率を向上できる。
【００５６】
産業上の実用性
上記の実施例によると、ＭＴＣ端末とネットワーク側のハードウェアを変更させる必要がなく、ソフトウェアをアップグレードするだけで実現でき、簡単であって、普及しやすく、産業実用性に優れている。
【００５７】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００５８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013527726.tif 000007
【図２】
2013527726.tif 000008
【図３】
2013527726.tif 000009
【図４】
2013527726.tif 000010
【図５】
2013527726.tif 000011
【図６】
2013527726.tif 000012
【図７】
2013527726.tif 000013
【国際調査報告】
2013527726.tif 000014
2013527726.tif 000015
2013527726.tif 000016
2013527726.tif 000017